(57)【要約】      （修正有）【課題】ＬＥＤと、その点灯電源となる電池を備えた携帯端末保護カバーの電池の消耗を減らして、電源を長持ちさせることができるようにした携帯端末用保護カバーを提供する。【解決手段】携帯端末に外装されるカバー本体と、所要数のＬＥＤ２１Ｒ、２１Ｇ、２１Ｂと、送受信信号を検知する検波回路１２と、送受信信号が検知されたときにＬＥＤを点灯させるドライバ回路１６を備えており、カバー本体にはタッチセンサ１３が設けられ、タッチセンサ１３が長押しされたときに検波回路１２のオンオフモードが切り換えられ、検波回路がオンモードの状態でタッチセンサ１３が短押しされたときにオンモード確認のためＬＥＤ２１Ｒ、２１Ｇ、２１Ｂを点灯させる制御回路１４を設けた。【選択図】図１
0003181415.tif 000002
【実用新案登録請求の範囲】
【請求項１】
携帯端末に外装されるカバー本体と、所要数のＬＥＤと、送受信信号を検知する検波回路と、当該検波回路で送受信信号が検知されたときに前記ＬＥＤを点灯させるドライバ回路を備えた携帯端末用保護カバーにおいて、
前記カバー本体にはタッチセンサが設けられると共に、当該タッチセンサから予め設定された時間条件のスイッチ信号が出力されたときに検波回路のオンオフモードが切り換えられ、検波回路がオンモードの状態で前記時間条件とは異なる時間のスイッチ信号が出力されたときにオンモード状態確認のため前記ドライバ回路によりＬＥＤを点灯させる制御回路を備えたことを特徴とする携帯端末用保護カバー。
【請求項２】
前記ドライバ回路は、前記制御回路により検波回路がオフモードとなったときにオフモード切換操作確認のため予め設定されたパターンでＬＥＤを点滅させ、前記制御回路により検波回路がオンモードとなったときに前記パターンとは異なるパターンでＬＥＤを点滅させる請求項１記載の携帯端末用保護カバー。
【請求項３】
検波回路をオフモードとしたときに点灯されるＬＥＤが赤色ＬＥＤで、オンモードとしたときに点灯されるＬＥＤが緑色ＬＥＤ又は青色ＬＥＤである請求項２記載の携帯端末用保護カバー。
【請求項４】
前記制御回路は、前記タッチセンサから出力されるスイッチ信号が予め設定された所定時間より長い時間条件で検波回路のオンオフモードを切り換え、検波回路がオンモードの状態で前記所定時間より短い時間条件でオンモード状態確認のため予め設定されたパターンでＬＥＤを点灯させる請求項１乃至３いずれか記載の携帯端末用保護カバー。
【請求項５】
前記制御回路は、検波回路がオンモード状態でタッチセンサの操作によりオンモード状態確認のため予め設定されたパターンでＬＥＤを点灯しているときに、再度、タッチセンサが操作されて短い時間のスイッチ信号が出力されたときにＬＥＤを消灯させる請求項４記載の携帯端末用保護カバー。
【考案の詳細な説明】
【技術分野】
【０００１】
本考案は、携帯端末に外装され、携帯端末のケーシングの外傷などを防止する携帯端末用保護カバーに関する。
【背景技術】
【０００２】
携帯電話、スマートフォン、タブレット端末、電子書籍リーダなどの携帯端末機器を外傷から保護するために、夫々の機種に応じた保護カバーが市販されている。
そして、これらの中には、カバー本体に、所要数のＬＥＤと、その点灯電源となる電池と、基地局との間で送受される送受信信号を検知する検波回路と、ＬＥＤのドライバ回路が組み込まれ、検波回路で送受信信号が検知されたときドライバ回路によりＬＥＤを点灯させるものが提案されている。
【０００３】
しかしながら、この種の保護カバーは、電池を入れると検波回路がオン状態に維持されるため、それだけでも電池が消耗され、さらに、携帯端末からは所定時間間隔で位置確認信号が出力されるので、この信号を検知したときは昼夜を問わず深夜就寝中であってもＬＥＤが点灯してしまうこととなり、その分、無駄に電池が消耗する。
特に、携帯端末とは独立した電源を有する保護カバーにあっては、携帯端末の電源をオフ状態にしても、近傍の空中線を飛び交う同帯域の電波を検知したときにＬＥＤが点灯する。
しかも、保護カバーに装填する電池は、保護カバーが厚くならないようにボタン電池のように薄いタイプのものが用いられるから、容量も小さく、直ぐに電池切れを起こすという問題があった。
【０００４】
送受信時に一つのＬＥＤを点灯させるだけであれば、電池を用いることなく、送受信信号の電磁波をエネルギーとして点灯可能であるが、複数のＬＥＤを任意のパターンで点灯させたり、複数色のＬＥＤを任意のパターンで点灯させようとすると、ドライバ回路をコントロールする必要を生じ、別途電源が必要となる。
【０００５】
このため、保護カバーに電池を入れるのではなく、容量の比較的大きな携帯端末側のバッテリーを電源として保護カバーのＬＥＤを点灯させるものも提案されている（特許文献１参照）。
しかし、この場合は、携帯端末に形成された充電用のプラグレセプタクルからバッテリーの供給を受けるため、そのレセプタクルに専用のプラグコネクタを接続する必要上、保護カバーを装着した状態で全体が大型化するという問題がある。
【先行技術文献】
【特許文献】
【０００６】
【特許文献１】実用新案登録第３１７７６２４号公報
【考案の概要】
【考案が解決しようとする課題】
【０００７】
そこで本考案は、保護カバーに装填される電池の消耗を減少させて、長期間にわたり電池交換することなく、ＬＥＤを点灯させることができ、また、必要に応じてそのＬＥＤをマニュアルで強制点灯できるようにすることを技術的課題としている。
【課題を解決するための手段】
【０００８】
この課題を解決するために、請求項１に係る考案は、携帯端末に外装されるカバー本体と、所要数のＬＥＤと、送受信信号を検知する検波回路と、当該検波回路で送受信信号が検知されたときに前記ＬＥＤを点灯させるドライバ回路を備えた携帯端末用保護カバーにおいて、前記カバー本体にはタッチセンサが設けられると共に、当該タッチセンサから予め設定された時間条件のスイッチ信号が出力されたときに検波回路のオンオフモードが切り換えられ、検波回路がオンモードの状態で前記時間条件とは異なる時間のスイッチ信号が出力されたときにオンモード状態確認のため前記ドライバ回路によりＬＥＤを点灯させる制御回路を備えたことを特徴とする。
【０００９】
請求項２に係る考案は、前記ドライバ回路は、前記制御回路により検波回路がオフモードとなったときにオフモード切換操作確認のため予め設定されたパターンでＬＥＤを点滅させ、前記制御回路により検波回路がオンモードとなったときに前記パターンとは異なるパターンでＬＥＤを点滅させるようになっている、
【００１０】
請求項３に係る考案は、検波回路をオフモードとしたときに点灯されるＬＥＤが赤色ＬＥＤで、オンモードとしたときに点灯されるＬＥＤが緑色ＬＥＤ又は青色ＬＥＤになっている。
【００１１】
請求項４に係る考案では、制御回路は、前記タッチセンサから予め設定された所定時間より長い時間条件のスイッチ信号が出力されたときに検波回路のオンオフモードを切り換え、検波回路がオンモードの状態で、前記時間条件とは異なり所定時間より短い時間条件のスイッチ信号が出力されたときにオンモード状態確認のため予め設定されたパターンでＬＥＤを点灯させるようになっている。
【００１２】
請求項５に係る考案では、制御回路は、検波回路がオンモード状態でタッチセンサの操作によりオンモード状態確認のため予め設定されたパターンでＬＥＤを点灯しているときに、再度、タッチセンサが操作されて短い時間のスイッチ信号が出力されたとき、即ち短押しされたときにＬＥＤを消灯させるようになっている。
【考案の効果】
【００１３】
本考案に係る携帯端末用保護カバーによれば、例えば、タッチセンサから所定時間より長い時間のスイッチ信号が出力されたとき（請求項４参照）に、検波回路のオンオフモードを現在のモードとは異なるモードに切り換えるように設定されているので、タッチセンサを長押しすることにより検波回路のオンオフモードを切り換えることができる。
これにより、就寝時に検波回路をオフモードとすることにより節電することができ、また、携帯端末本体から位置確認信号が出力されてもＬＥＤが点灯されないため、ＬＥＤが無駄に点灯することがなく、節電することができる。
また、起床後、必要に応じてタッチセンサを長押しすれば、検波回路がオンモードとなるので、通常通り、送受信信号を検知してＬＥＤを点灯させることができる。
【００１４】
また、タッチセンサが短押しされて所定時間より短い時間のスイッチ信号が出力されたとき（請求項４参照）に、検波回路がオンモードであればＬＥＤが強制点灯され、検波回路がオフモードであればＬＥＤが点灯されないようになっているので、タッチセンサを短押しすることにより、検波回路がオンモードであるか、オフモードであるかをいつでも確認することができ、確認後、必要に応じて長押しし、オンオフモードを切り換えることができる。
【００１５】
なお、請求項２の携帯端末用保護カバーのように、モード切換手段により検波回路がオフモードとなったときにオフモード切換操作確認用ＬＥＤを点滅させ、モード切換手段により検波回路がオンモードとなったときにオンモード切換操作確認用ＬＥＤを点滅させるようにすれば、タッチセンサを長押ししたときに、どのモードになったかを確実に認識することができ、勘違いによる誤操作をすることがない。
このとき、請求項３のように、オフモードに切り換えたときに赤色ＬＥＤを点灯させ、オンモードに切り換えたときに緑色ＬＥＤ又は青色ＬＥＤを用いれば、オンオフモード切換操作を色で確認することができる。
【図面の簡単な説明】
【００１６】
【図１】本考案に携帯端末用保護カバーの一例を示すブロック図。
【図２】使用状態を示す正面側斜視図。
【図３】携帯端末に装着した状態を示す背面側斜視図。
【図４】検波回路のオンオフモード切換手順を示すフローチャート。
【図５】検波回路のオンオフモード確認用サブルーチンを示すフローチャート。
【図６】送受信信号検出時のＬＥＤ点灯サブルーチンＳＲ２を示すフローチャート。
【考案を実施するための形態】
【００１７】
本例の携帯端末用保護カバーは、保護カバーに装填される電池の消耗を減少させて、長期間にわたり電池交換することなくＬＥＤを点灯させることができるようにするという目的を達成するために、携帯端末に外装されるカバー本体と、所要数のＬＥＤと、送受信信号を検知する検波回路と、当該検波回路で送受信信号が検知されたときに前記ＬＥＤを点灯させるドライバ回路を備え、前記カバー本体にはタッチセンサが設けられると共に、当該タッチセンサから予め設定された時間条件のスイッチ信号が出力されたときに検波回路のオンオフモードが切り換えられ、検波回路がオンモードの状態で前記時間条件とは異なる時間のスイッチ信号が出力されたときにオンモード状態確認のため前記ドライバ回路によりＬＥＤを点灯させる制御回路を備えた。
【実施例１】
【００１８】
図１は本考案に係る携帯端末用保護カバー１のブロック図、図2及び図３はその斜視図を示し、スマートフォンなどの携帯端末２に外装されるカバー本体３にカード状の回路部４が組み込まれてなる。
カバー本体３は、携帯端末２に外嵌されるフレーム５と、そのフレーム５の底部を覆うパネル６からなる。
さらに、前記回路部４はパネル６内にモールドされると共に、電池ホルダ７を備え、ボタン電池８を出し入れする開口部９が内面側に形成されている。
【００１９】
回路部４は、電池ホルダ７に装填されたボタン電池８が接続されたＩ／Ｏポート１１に、検波用ＩＣなどの検波回路１２と、タッチセンサ１３と、ＣＰＵ（制御回路）１４と、ＬＥＤドライバ１５が接続されている。
検波回路１２は、携帯端末２と基地局の間で交信される予め設定された周波数の送受信信号を内蔵アンテナ１６で受信したときに、所定の検知信号をＣＰＵ１４に出力する。
タッチセンサ１３は、パネル６の背面側にセンサ部１７が配された静電容量型のタッチスイッチであり、パネル６の上からそのセンサ部１７を指で触れている間、スイッチ信号がＣＰＵ１４に対して出力される。
【００２０】
ＣＰＵ１４は、検波回路１２から検知信号が入力され、タッチセンサ１３からスイッチ信号が入力されたときに所定の演算処理を行い、ＬＥＤドライバ１５に所定の制御信号を出力し、あるいは、検波回路１２のオンオフモードの切換を行う。
ＬＥＤドライバ１５には、ＣＰＵ１４から発せられる点灯信号に応じて点灯される赤青緑の三色の任意のＬＥＤ（発光素子）２１Ｒ、２１Ｇ、２１Ｂが接続されている。
各ＬＥＤ２１Ｒ、２１Ｇ、２１Ｂもパネル6内にモールドされており、パネル６表面側からＬＥＤを視認することはできないが、点灯することにより、その光がパネル６を透過して外部に照射される。
なお、本例では、ＬＥＤ２１Ｒ、２１Ｇ、２１Ｂとして、ＲＧＢの各光を個別に出力する発光素子を用いたが、一つのＬＥＤで三色を発光するものと用いてもよい。
また、ＬＥＤの数も１個や３個に限らず必要に応じて任意の発光色のＬＥＤを任意の数だけ接続することができる。
【００２１】
次に、ＣＰＵ１４における処理手順を、図４〜図６に示すフローチャートに従って説明する。
図４はＣＰＵ１４での処理手順のうち、メインルーチンＭＲとなる検波回路１２のオンオフモード切換手順を示すフローチャートである。
まず、ＳＴＰ１でボタン電池８が電池ホルダ７に装填されると処理が実行開始され、ステップＳＴＰ２で回路部４の電源がオンされると共に検波回路１２もオンされ、回路部４の電源がオンされたことを示すためＬＥＤ２１Ｒ〜２１Ｇを所定のパターンで点灯する。
本例では、青色ＬＥＤ２１Ｂを５回点滅させるようになっている。
【００２２】
そして、ステップＳＴＰ３に移行してタッチセンサ１３からスイッチ信号が出力されたか否かを判断し、スイッチ信号が出力されない場合はステップＳＴＰ４で検波回路１２からの電波入力の有無を判断し、ステップＳＴＰ３及び４でいずれかのイベントが発生するまで待機する。
そして、タッチセンサ１３からスイッチ信号が出力されると、ステップＳＴＰ３からステップＳＴＰ５へ移行し、検波回路１２に電波入力があったときは図６で説明するサブルーチンの処理を行う。
【００２３】
ステップＳＴＰ５では、センサ部１７が長押しされたか否かを判断する。具体的には、予め設定された時間条件（例えば２秒以上）でスイッチ信号が出力されたときは長押しされたと判断してステップＳＴＰ６に移行し、前記時間条件とは異なる時間条件（2秒未満）でスイッチ信号が出力されたときは短押しされたと判断して図５で説明するサブルーチンの処理を行う。
【００２４】
ステップＳＴＰ６は、検波回路１２がオンモードの状態でタッチセンサ１３を長押ししたときに検波回路１２をオフする処理を行うと同時に、検波回路１２がオフされたことを示すためＬＥＤ２１Ｒ〜２１Ｇを所定のパターンで点灯する。
本例では、赤色ＬＥＤ２１Ｒを３回点滅させるようになっている。
【００２５】
検波回路１２がオフされると、ステップＳＴＰ７に移行してタッチセンサ１３からスイッチ信号が出力されるまで待機し、スイッチ信号が出力されたときはステップＳＴＰ８へ移行し、ステップＳＴＰ５と同様、センサ部１７が長押しされたか否かを判断する。
センサ部１７が長押しされなければ、ステップＳＴＰ７に戻り、長押しされたときのみステップＳＴＰ９へ移行する。
【００２６】
ステップＳＴＰ９は、検波回路１２がオフモードの状態でタッチセンサ１３を長押ししたときに検波回路１２をオンする処理を行うと同時に、検波回路１２がオンされたことを示すためＬＥＤ２１Ｒ〜２１Ｇを所定のパターンで点灯する。
本例では、緑色ＬＥＤ２Ｇを５回点滅させるようになっている。
そして、ステップＳＴＰ３に戻り、次のイベント発生まで待機する。
【００２７】
図５は、検波回路１２のオンオフモード確認用サブルーチンＳＲ１を示すフローチャートであって、メインルーチンＭＲのステップＳＴＰ５で、タッチセンサ１３のセンサ部１７が短押しされたときに、サブルーチンＳＲ１が実行される。
まず、サブルーチンＳＲ１のステップＳＴＰ１１では、検波回路１２がオン状態にあることを確認するため、ＬＥＤ２１Ｒ〜２１Ｇを所定のパターンで点灯開始する。
本例では、例えば、最初の１０秒間で、青色ＬＥＤ２１Ｂ−緑色ＬＥＤ２１Ｇ−赤色ＬＥＤ２１Ｒをこの順で約３秒ずつ点灯し、その後、青、緑、赤をランダムに２０秒間点滅させる。
【００２８】
この間、ステップＳＴＰ１２で所定時間経過したか否か判断され、ステップＳＴＰ１３でタッチセンサ１３が操作されたか否かが判断され、いずれかのイベントが発生するまでＬＥＤを点灯させたまま待機する。
そして、所定時間（例えば３０秒）経過すると、ステップＳＴＰ１２からステップＳＴＰ１４に移行してＬＥＤ２１Ｒ〜２１Ｇを消灯させた後、メインルーチンＭＲのステップＳＴＰ３に戻る。
【００２９】
また、タッチセンサ１３が操作されると、ステップＳＴＰ１３からステップＳＴＰ１５に移行して、センサ部１７が短押しされたか長押しされたかが判断される。
即ち、連続して出力されるスイッチ信号が予め設定された所定時間（例えば２秒）に達しなければ短押しと判断されてステップＳＴＰ１４に移行し、所定時間（例えば２秒）に達したときは長押しと判断されてメインルーチンＭＲのステップＳＴＰ６に戻る。
【００３０】
図６は、検波回路１２で送受信信号が検出されたときのＬＥＤ点灯サブルーチンＳＲ２を示すフローチャートであって、メインルーチンＭＲのステップＳＴＰ３〜４でイベント待機している状態で、携帯端末２と基地局の間で交信される予め設定された周波数の送受信信号が検波回路１２に入力されると、サブルーチンＳＲ２の処理が実行開始される。
まず、サブルーチンＳＲ２のステップＳＴＰ２１では、前記送受信信号が検波回路１２で検出されると、ＬＥＤ２１Ｒ〜２１Ｇを所定のパターンで点灯開始する。
本例では、例えば、最初の１０秒間で、青色ＬＥＤ２１Ｂ−緑色ＬＥＤ２１Ｇ−赤色ＬＥＤ２１Ｒをこの順で約３秒ずつ点灯し、その後、青、緑、赤をランダムに２０秒間点滅させ、さらにその後、３０秒間消灯させるという全６０秒の点灯パターン１ルーチンとして点灯させる。
【００３１】
この間、ステップＳＴＰ２２で１ルーチンが終了したか否かを例えば点灯時間により判断し、ステップＳＴＰ２３でタッチセンサ１３が操作されたか否かが判断され、いずれかのイベントが発生するまでＬＥＤを点灯させたまま待機する。
そして、所定時間（例えば６０秒）経過して、ステップＳＴＰ２２で１ルーチンが終了したと判断されると、ステップＳＴＰ２４に移行する。
ステップＳＴＰ２４では、検波回路１２に送受信信号の入力があるか否かを判断し、例えば、継続して通話している場合など、送受信信号の入力がある場合は、ステップＳＴＰ２１に戻り、送受信信号がない場合は、ステップＳＴＰ２５でＬＥＤ２１Ｒ〜２１Ｇを消灯させた後、メインルーチンＭＲのステップＳＴＰ３に戻る。
【００３２】
また、タッチセンサ１３が操作されると、ステップＳＴＰ２３からステップＳＴＰ２６に移行して、センサ部１７が短押しされたか長押しされたかが判断される。
そして、連続して出力されるスイッチ信号が予め設定された所定時間（例えば２秒）に達しなければ短押しと判断されてステップＳＴＰ２５に移行し、所定時間（例えば２秒）に達したときは長押しと判断されてメインルーチンＭＲのステップＳＴＰ６に戻る。
【００３３】
以上が本考案の一例であり、次にその作用について説明する。
保護カバー１の回路部４の電池ホルダ７にボタン電池８を装填すると、回路部４の電源が入り、所定のパターンでＬＥＤ２１Ｒ〜２１Ｂが点灯される（ステップＳＴＰ１）。
この保護カバー１を、スマートフォンなどの携帯端末２に装着すると、保護カバー１は初期状態で検波回路１２がオンとなっているので、携帯端末２と基地局との間で送受信信号が送受信されたときに、内蔵アンテナ１６でこれがキャッチされ、検波回路１２からＣＰＵ１４に対し検知信号Ｓが出力され、ＣＰＵ１４からＬＥＤドライバ１５に制御信号が出力され、ＬＥＤ２１Ｒ〜２１Ｂが点灯される（ステップＳＴＰ２１〜２６）。
【００３４】
ここで、オンモードにある検波回路１２をオフモードに切り換えるときは、タッチセンサ１３を長押し（ステップＳＴＰ３〜６）すれば、検波回路１２がオフされると同時に、赤色ＬＥＤ２１Ｒが３回点滅するので、この点滅を確認することにより、確実に検波回路１２をオフしたことを認識することができる。
この状態では、携帯端末２と基地局との間で送受信信号が送受信されても、ＬＥＤ２１Ｒ〜２１Ｂは点灯しない。
したがって、就寝時など、電波着信時にＬＥＤを点灯させる必要のない場合は、検波回路１２をオフすることにより、消費電力を軽減することができる。
【００３５】
なお、本考案では検波回路１２をオフしても、タッチセンサ１３が常時待機状態にあるが、タッチセンサ１３の消費電力は検波回路に比して１／１０以下と著しく小さく、ＬＥＤが点灯されないことによっても消費電力が節約されるので、１週間で一晩（８時間程度）検波回路１４をオフすれば、タッチセンサ１３を常時待機状態とすることによる電力消費量を加味しても、全体として、消費電力を軽減することができる。
【００３６】
また、オフモードにある検波回路１２をオンモードに切り換えるときは、タッチセンサ１３を長押しすると、緑色ＬＥＤ２１Ｇが５回点滅するので、これにより、検波回路１２がオンされたことを確認することができる（ステップＳＴＰ７〜９）。
【００３７】
なお、しばらく使用していないときに、検波回路１２がオンモードとなっているか、オフモードとなっているか、直ぐにはわからずに、オフモードにしようとしてタッチセンサ１３を長押しすることにより、オフモードにある検波回路１２を意に反してオンモードとしたり、その逆の操作を行ってしまうことがある。
この場合、緑色ＬＥＤ２１Ｇや、赤色ＬＥＤ２１Ｒが点灯するので、ご操作に気が付くが、再度、タッチセンサ１３を長押しし直さなければならず面倒である。
【００３８】
そこで、タッチセンサ１３を短押ししたときに、検波回路１２がオンモードにあればＬＥＤ２１Ｒ〜２１Ｂが点灯し、オフモードにあれば点灯しないので、検波回路１２のオンオフモードを確認することができる（ステップＳＴＰ５、１１）。
したがって、オフモードにするときは、まずタッチセンサ１３をワンタッチしてＬＥＤ２１Ｒ〜２１Ｂの点灯を確認し、点灯しなければそのままでよく、点灯した場合はタッチセンサ１３を長押ししてオフモードに切り換えればよい。
また、オンモードにするときは、まずタッチセンサ１３をワンタッチしてＬＥＤ２１Ｒ〜２１Ｂの点灯を確認し、点灯すればそのまま何もしなくてもよく、点灯しない場合はタッチセンサ１３を長押ししてオンモードに切り換えればよい。
【産業上の利用可能性】
【００３９】
本考案は、携帯電話、スマートフォン、タブレット端末、電子書籍リーダなどの携帯端末に外装され、送受信信号を検知したときにＬＥＤを点灯させる携帯端末用保護カバーの用途に適用し得る。
【符号の説明】
【００４０】
１      携帯端末用保護カバー
２      携帯端末
３      カバー本体
４      回路部
５      フレーム
６      パネル
７      電池ホルダ
９      開口部
１１    Ｉ／Ｏポート
１２    検波回路
１３    タッチセンサ
１４    ＣＰＵ（制御回路）
１５    ＬＥＤドライバ
２１Ｒ  赤色ＬＥＤ
２１Ｇ  緑色ＬＥＤ
２１Ｂ  青色ＬＥＤ
【図１】
0003181415.tif 000003
【図２】
0003181415.tif 000004
【図３】
0003181415.tif 000005
【図４】
0003181415.tif 000006
【図５】
0003181415.tif 000007
【図６】
0003181415.tif 000008